(57)【特許請求の範囲】
【請求項１】
空調機器から供給される空調空気を吹き出し可能な吹出口装置であって、前記吹出口装置はアンビエント吹出部及びパーソナル吹出部を備え、前記パーソナル吹出部から吹き出す空調空気の風向、風量を変更する気流調整手段と、前記パーソナル吹出部からの風量を前記気流調整手段で増減させると前記アンビエント吹出部からの風量が相対的に減増する連係手段と、を設け、前記気流調整手段が前記パーソナル吹出部からの吹出風量を所定範囲内で増減可能であって、前記気流調整手段で前記吹出風量を最大限に設定したときも前記アンビエント吹出部からの吹き出しが維持される気流維持機能を設けたことを特徴とする吹出口装置。
【請求項２】
前記気流調整手段が、居室側から前記パーソナル吹出部を介して操作可能である請求項１記載の吹出口装置。
【請求項３】
前記パーソナル吹出部として、ノズル型の吹出部材と、前記吹出部材を傾動可能に保持する保持部材と、前記吹出部材の上流側に配置され前記吹出部材の回動操作に伴って開閉する流路開閉部材と、を設けた請求項１または２記載の吹出口装置。
【請求項４】
居室側から前記吹出部材の傾動操作及び回動操作を行うための操作器具が、当該吹出部材に着脱可能である請求項３記載の吹出口装置。
【請求項５】
前記パーソナル吹出部を複数個設けた請求項１〜４のいずれかに記載の吹出口装置。
【請求項６】
前記吹出口装置が外コーンと内コーンとを有するアネモ型吹出口であって、前記外コーンと前記内コーンとの間の流路をアンビエント吹出部とし、前記内コーンの中央領域に前記パーソナル吹出部を設けた請求項１〜５のいずれかに記載の吹出口装置。
【請求項７】
前記パーソナル吹出部に気流拡散手段を設けた請求項１〜６のいずれかに記載の吹出口装置。
【発明の詳細な説明】
【技術分野】
【０００１】
本発明は、空調機器から供給される空調空気を室内に吹き出すため、居室の天井部分に設置される吹出口装置に関する。
【背景技術】
【０００２】
天井設置型の吹出口装置については、従来、様々な構造、機能を有するものが提案されているが、本願発明に関連する技術として、例えば、特許文献１〜４記載のものがある。
【０００３】
特許文献１記載の「パーソナル吹き出し口システム」は、携行型無線操作器を操作し、吹き出し口の送風ファンの回転数を制御する一方、風向制御用モータを作動させて風向調整ベーンの傾き角度を制御することにより、個人の好みに適合した空調気流環境を個別的に形成するものである。
【０００４】
特許文献２記載の「吹出口装置」は、調和空気の通路となる貫通孔が設けられた略球状体のノズル部と、その外周面に接した状態で当該ノズル部を回動自在及び離脱不可能に支持する支持枠と、ノズル部の貫通孔の開口を開閉するため貫通孔の貫通方向と移動可能に配設されたシャッター部と、を備えており、ノズル部を回動させることにより開口から吹き出す気流の風向を調整し、シャッター部を移動させることにより吹出状態を選択調整するものである。
【０００５】
特許文献３記載の「空調装置」は、アネモスタットの内側案内板の上端部に介装されたファン装置と、空調空気を導くため内側案内板の下端部に球面継手状に支持された球面体と、球面体内に形成された吹出口と、を備え、球面体を手動操作して吹出口の方向を変えることにより、吹出口から吹き出される空調空気の風向を調整するものである。
【先行技術文献】
【特許文献】
【０００６】
【特許文献１】実開平５−１９８４４号公報
【特許文献２】特開２０１０−１１７０６８号公報
【特許文献３】特開平３−８７５５７号公報
【発明の概要】
【発明が解決しようとする課題】
【０００７】
特許文献１記載の「パーソナル吹き出し口システム」は、アンビエント空調機能及びパーソナル空調機能を兼備しているが、パーソナル空調用の空調空気の風向、風量を変更すると、空調空気の総風量が変動する可能性があるため、安定した空調状態を得ることが困難である。また、空調機から「パーソナル吹き出し口システム」に空調空気を供給するダクトは、アンビエント吹き出し口用とパーソナル吹き出し口用との複数系統に分ける必要があるので、施工に手間を要するだけでなく、ダクト関連資材の増大を招く。
【０００８】
特許文献２記載の「吹出口装置」及び特許文献４記載の「空調装置」は、調和空気の風向及び風量を調整する機能を有しているのでパーソナル空調用として好適であるが、これらの装置はアンビエント空調機能を有していないので、アンビエント空調及びパーソナル空調を並行して実行するためには、他のアンビエント空調システムを構築するか、他のアンビエント空調システムと組み合わせる必要がある。
【０００９】
また、特許文献３記載の「空調装置」は、風量調整手段としてファン装置が使用されているため、ファン駆動用のモータやそれを駆動及び制御するための電源が必要である。
【００１０】
本発明が解決しようとする課題は、アンビエント空調機能とパーソナル空調機能とを有し、パーソナル空調用の空調空気の風量を変更しても、空調空気の総風量が変動し難く、居室内の空調負荷に応じた風量を安定供給することができ、居室内を快適な空調状態に保つことができる吹出口装置を提供することにある。
【課題を解決するための手段】
【００１１】
本発明の吹出口装置は、空調機器から供給される空調空気を吹き出し可能な吹出口装置であって、前記吹出口装置はアンビエント吹出部及びパーソナル吹出部を備え、前記パーソナル吹出部から吹き出す空調空気の風向、風量を変更する気流調整手段と、前記パーソナル吹出部からの風量を前記気流調整手段で増減させると前記アンビエント吹出部からの風量が相対的に減増する連係手段と、を設け、前記気流調整手段が前記パーソナル吹出部からの吹出風量を所定範囲内で増減可能であって、前記気流調整手段で前記吹出風量を最大限に設定したときも前記アンビエント吹出部からの吹き出しが維持される気流維持機能を設けたことを特徴とする。
【００１２】
このような構成とすれば、一つの吹出口装置がアンビエント空調機能及びパーソナル空調機能を兼備したものとなる。また、アンビエント空調用として供給される空調空気をパーソナル空調用に利用しているので、気流調整手段を用いて、パーソナル吹出部から吹き出す空調空気の風量を増減させると、連係手段により、前記アンビエント吹出部からの風量が相対的に減増し、当該吹出口装置から吹き出す空調空気の総風量が殆ど変化せず、居室内の空調負荷に応じた風量を安定供給することができ、居室内を快適な空調状態に保つことができる。また、空調機器から当該吹出口装置に空調空気を供給するダクトは、アンビエント空調用及びパーソナル空調用の複数系統に分ける必要がないので、従来のアンビエント空調用吹出口と同様の施工方法で設置することができ、施工も容易である。
【００１３】
また、本発明の吹出口装置では、前記気流調整手段が前記パーソナル吹出部からの吹出風量を所定範囲内で増減可能であって、前記気流調整手段で前記吹出風量を最大限に設定したときも前記アンビエント吹出部からの吹き出しが維持される気流維持機能を設けている。
【００１４】
このような構成とすれば、居室内に居る人間が、前記気流調整手段を操作して、パーソナル吹出部からの吹出風量を最大限に設定することがあっても、アンビエント吹出部からの空調空気の吹き出しが停止しないので、居室全体の空調バランスが崩れるのを防止することができる。また、空調機器から供給された空調空気が全てパーソナル吹出部からの吹き出しに集中することによって発生し易くなる騒音の増大や圧力損失の上昇などを回避することができる。
【００１５】
また、前記気流調整手段が、居室側から前記パーソナル吹出部を介して操作可能な構成とすることが望ましい。
【００１６】
このような構成とすれば、居室内に居る人間の好みや要請に応じて様々なパターンに風向、風量が設定されるパーソナル空調において、調整作業が容易となる。
【００１７】
さらに、前記パーソナル吹出部として、ノズル型の吹出部材と、前記吹出部材を傾動可能に保持する保持部材と、前記吹出部材の上流側に配置され前記吹出部材の回動操作に伴って開閉する流路開閉部材と、を設けることができる。
【００１８】
このような構成とすれば、吹出部材を傾動させたり、回動させたりするという簡単な操作により、パーソナル吹出部から吹き出す空調空気の風向及び風量を的確に調整、設定することができるため、操作性が良好となる。
【００１９】
一方、居室側から前記吹出部材の傾動操作及び回動操作を行うための操作器具が、当該吹出部材に着脱可能な構成とすれば、居室内に居る人間が操作器具を使用して、吹出部材を傾動させたり、回動させたりして、空調空気の風向及び風量を調整可能となるので、調整作業がさらに容易となる。
【００２０】
また、前記パーソナル吹出部を複数個設ければ、１台の吹出口装置から異なる複数方向に向かって、同一または異なる風量にて、空調空気を吹き出すようにパーソナル吹出部の風向を設定したり、パーソナル吹出部からの気流を個別に停止したり、することが可能となる。また、複数のパーソナル吹出部の風向が互いに同方向となるように設定すれば、気流の合成効果が生じ、パーソナル吹出部から居室に向かって吹き出す空調空気の到達距離を増大させることもできるので、特に強い気流感を必要とする場合に有効である。
【００２１】
さらに、前記吹出口装置が外コーンと内コーンとを有するアネモ型吹出口であって、前記外コーンと前記内コーンとの間の流路をアンビエント吹出部とし、前記内コーンの中央領域に前記パーソナル吹出部を設けた構成とすることもできる。
【００２２】
このような構成とすれば、アンビエント吹出部から吹き出す空調空気が、居室内の天井付近の室内空気を誘引しながら居室内の多方向に広く拡散するというアネモ型吹出口の機能を維持しつつ、パーソナル吹出部から吹き出す空調空気流によってパーソナル空調を行うようになるので、アンビエント空調時の空調効率を維持することができる。また、アンビエント吹出口として既設のアネモ型吹出口のコーンを交換するだけで、前述したパーソナル空調機能を持たせることができるため、改修工事や設置後の交換にも好適となる。
【００２３】
また、前記パーソナル吹出部に気流拡散手段を設ければ、パーソナル吹出部から吹き出す空調空気に適度の拡散性を持たせることが可能となるので、広範囲で柔らかな気流を実現することができ、冷房時に発生し易いドラフトを緩和したり、抑制したりすることができる。
【発明の効果】
【００２４】
本発明により、アンビエント空調及びパーソナル空調を並行して実行することができ、パーソナル空調用の空調空気の風量を変更しても、空調空気の総風量が変動し難く、居室内の空調負荷に応じた風量を安定供給することができ、居室内を快適な空調状態に保つことができる吹出口装置を提供することができる。
【図面の簡単な説明】
【００２５】
【図１】本発明の第１実施形態である吹出口装置を示す正面図である。
【図２】図１に示す吹出口装置の側面図である。
【図３】図１に示す吹出口装置の下面図である。
【図４】図２のＡ−Ａ線における断面図である。
【図５】図４のＢ−Ｂ線における断面図である。
【図６】図４のＣ−Ｃ線における断面図である。
【図７】図１に示す吹出口装置の操作器具を示す図である。
【図８】図７に示す操作器具の使い方を示す図である。
【図９】図１に示す吹出口装置からの気流吹出状態を示す図である。
【図１０】図１に示す吹出口装置からの気流吹出状態を示す図である。
【図１１】その他の実施形態である吹出口装置を示す一部省略水平断面図である。
【図１２】図１１のＤ−Ｄ線における一部省略断面図である。
【図１３】本発明の第２実施形態である吹出口装置を示す正面図である。
【図１４】図１３に示す吹出口装置の垂直断面図である。
【図１５】本発明の第３実施形態である吹出口装置を示す断面図である。
【図１６】図１５に示す吹出口装置の下面図である。
【図１７】本発明の第４実施形態である吹出口装置を示す断面図である。
【図１８】図１７に示す吹出口装置の下面図である。
【発明を実施するための形態】
【００２６】
図１〜図１０に基づいて、本発明の第１実施形態である吹出口装置１００について説明する。図１〜図６に示すように、吹出口装置１００は、空調機器（図示せず）から空調ダクトを介して供給される空調空気を導入するため、前記空調ダクトに接続される短円筒形の流入経路１０を有する箱体状のチャンバ１１と、チャンバ１１内の流入口１２より低い位置に配置された切替ユニット２０と、チャンバ１１の下面開口部１４に取り付けられた外コーン１５と、を備えている。
【００２７】
切替ユニット２０は、チャンバ１１内を水平に区画するように取り付けられた上面パネル２１と、上面パネル２１に開設された複数の通気口２２，２３から下方へ連設された円筒状の通気部材２４，２５と、通気部材２４，２５の下端部に取り付けられた下面パネル２６と、下面パネル２６の外周に沿って設けられた内コーン２７と、を備えている。通気部材２４，２５内の軸心２４ｃ，２５ｃ方向の中央付近にはそれぞれ軸心２４ｃ，２５ｃと直交する隔壁２８，２９が設けられ、軸心２４ｃ，２４ｃと同軸をなす軸体３０，３１がそれぞれ隔壁２８，２９の中心に回転可能に軸支されている。
【００２８】
隔壁２８，２９のそれぞれ軸体３０，３１を挟んだ対称位置には軸体３０，３１を中心に広がる扇形状の複数の開口部２８ａ，２９ａが開設され、これらの開口部２８ａ，２９ａをそれぞれ開閉するシャッタ３２，３３がそれぞれ軸体３０，３１に固定されている。シャッタ３２，３３の上面は、それぞれ軸体３０，３１から通気部材２４，２５の内周面に向かって拡径する半円錐形状をなしている。
【００２９】
通気部材２４，２５の隔壁２８，２９より上方領域には、軸体３０，３１を挟んで対称をなす複数の側面開口部２４ａ，２５ａが開設されている。通気部材２４（２５）の側面開口部２４ａ（２５ａ）と、隔壁２８（２９）の開口部２８ａ（２９ａ）とは、軸体３０（３１）を中心に位相が９０度異なるように配置されているので、隔壁２８（２９）の開口部２８ａ（２９ａ）が無い部分の外側に通気部材２４（２５）の側面開口部２４ａ（２５ａ）が位置している。
【００３０】
軸体３０，３１はそれぞれ独立して回転可能であり、軸体３０（３１）を正転・逆転させるとシャッタ３２（３３）が一体的に回転し、通気部材２４（２５）の側面開口部２４ａ（２５ａ）の「開・閉」及び隔壁２８（２９）の開口部２８ａ（２９ａ）の「閉・開」が連係して行われる。即ち、軸体３０（３１）を正転させてシャッタ３２（３３）を通気部材２４（２５）の側面開口部２４ａ（２５ａ）の全開状態にセットすると隔壁２８（２９）の開口部２８ａ（２９ａ）が全閉状態となり、この状態から軸体３０（３１）を逆転させていくと、通気部材２４（２５）の側面開口部２４ａ（２５ａ）が全開状態から全閉状態まで連続的に狭まっていき、これに伴って隔壁２８（２９）の開口部２８ａ（２９ａ）が全閉状態から全開状態まで連続的に拡がっていく。
【００３１】
隔壁２８，２９から下方に突出した軸体３０，３１の下端部には、それぞれ自在継手３４，３５及び支軸３６，３７を介してノズル型の吹出部材３８，３９が傾動可能に取り付けられている。吹出部材３８，３９は無底椀形状の本体部３８ａ，３９ａと、本体部３８ａ，３９ａから下方に連設された短円筒形状の口縁部３８ｂ，３９ｂと、で形成され、本体部３８ａ，３９ａの内周面にそれぞれ支軸３６，３７の両端部が回動可能に固定されている。
【００３２】
通気部材２４，２５の下端開口部にはそれぞれ短円筒状のシール材４０，４１が付設され、吹出部材３８，３９の本体部３８ａ，３９ａは、それぞれの外周面がシール材４０，４１の下縁部内に接触した状態を保ちながら、自在継手３４，３５を中心に傾動可能であるとともに、それぞれ軸体３０，３１を中心に回転可能である。
【００３３】
ここで、図７，図８に基づいて、吹出口装置１００の操作器具５０と、操作器具５０を用いたシャッタ３２，３３の開閉操作及び吹出部材３８，３９の傾動操作について説明する。なお、シャッタ３２，３３及び吹出部材３８，３９の構造、機能はそれぞれ同じであるため、シャッタ３３の開閉操作及び吹出部材３９の傾動操作について説明し、シャッタ３２及び吹出部材３８に関する説明は省略する。
【００３４】
図８に示すように、操作器具５０は、吹出口装置１００の吹出部材３８，３９を居室側から傾動操作したり、回動操作したりするための道具である。図７に示すように、操作器具５０は、丸棒状の基材５１の基端側にグリップ５２が設けられ、先端側に係合部材５３が設けられている。係合部材５３は、図８に示すように、吹出部材３９の口縁部３９ｂから本体部３９ａ内に挿入・離脱可能な略円錐台形状の基体部５３ａと、基体部５３ａの先端に設けられた擂り鉢状の凹部５３ｂと、凹部５３ｂの周縁を直径方向に切り欠いた状態に開設された一対の係合溝５３ｃと、を備えている。
【００３５】
図８に示すように、居室内に居る操作者（図示せず）が操作器具５０のグリップ５２を手で握持して、天井部分に位置する吹出部材３９の口縁部３９ｂから本体部３９ａに向かって係合部材５３を挿入し、自在継手３５の下端部及び支軸３７に対し、それぞれ凹部５３ｂ及び係合溝５３ｃを係合させる。この状態でグリップ５２を矢線Ｓ方向に振り子状に動かすと、それに伴って吹出部材３９が自在継手３５を中心に傾動するので、その傾動範囲内において、吹出部材３９からの空調空気の吹出方向を任意に設定することができる。
【００３６】
また、図８に示すように、係合部材５３の凹部５３ｂ及び係合溝５３ｃを自在継手３５の下端部及び支軸３７に係合させた状態で、グリップ５２をその軸心周り（矢線Ｒ方向）に正転・逆転させると、その回転が係合溝５３ｃ及び支軸３７を介して軸体３１に伝わり、軸体３１を中心にシャッタ３３が正転・逆転する。これにより、通気部材２５の側面開口部２５ａの「開・閉」及び隔壁２９の開口部２９ａの「閉・開」が連係して行われるので、通気部材２５の側面開口部２５ａ及び隔壁２９の開口部２９ａの開度をそれぞれ０〜１００％の範囲内で任意に設定することができる。吹出部材３９及びシャッタ３３の開度設定が終わったら、グリップ５２をその軸心方向に引っ張ることにより、係合部材５３を吹出部材３９から離脱させることができる。
【００３７】
図８に示すように、操作器具５０を使用して吹出口装置１００を操作すれば、高所での操作を回避することができるので安全であり、調整操作も容易である。また、吹出部材３９内に挿入している操作器具５０の基材５１の長手方向が吹出部材３９からの吹出方向に相当するので、居室内に居る執務者は自席に座ったままの状態で、操作器具５０のグリップ５２を自分の方に向けることにより、確実に自分の方に向かう空調空気流の設定が可能である。なお、操作器具５０に基材５１にその長手方向に伸縮する機能を設ければ、使用時に伸ばし、不使用時は縮めておくことが可能となるので、収納場所を取らない。
【００３８】
ここで、図４，図５及び図６に基づいて、吹出口装置１００の機能について説明する。なお、図４，図５に示す吹出口装置１００の切替ユニット２０においては、通気部材２４，２５の側面開口部２４ａ，２５ａが全開状態（開度１００％）となり、隔壁２８，２９の開口部２８ａ，２９ａが全閉状態（開度０％）となるようにシャッタ３２，３３がセットされている。
【００３９】
図４，図５及び図６に示すように、空調機器（図示せず）から流入経路１０及び流入口１２を経由してチャンバ１１内へ流入した空調空気は、切替ユニット２０の上面パネル２１に開設された複数の通気口２２，２３からそれぞれ通気部材２４，２５内へ流入する。通気部材２４，２５内へ流入した空調空気は通気部材２４，２５の側面開口部２４ａ，２５ａ及び隔壁２８，２９の開口部２８ａ，２９ａの開度に応じて分流されるが、図４，図５に示す状態では、隔壁２８，２９の開口部２８ａ，２９ａがシャッタ３２，３３で全閉されているので、通気部材２４，２５内に流入した空調空気の全量が通気部材２４，２５の側面開口部２４ａ，２５ａを通過して、切替ユニット２０とチャンバ１１との隙間に流出し、外コーン１５と内コーン２７との隙間４２を通過して居室内へ吹き出される。これにより、図９に示すように、吹出口装置１００の隙間４２から吹き出す空調空気はその周辺の領域ＷＡに拡散し、アンビエント空調１００％の状態となる。
【００４０】
一方、図４，図５に示す吹出口装置１００において、通気部材２４，２５の側面開口部２４ａ，２５ａ及び隔壁２８，２９の開口部２８ａ，２９ａがそれぞれ開いた状態（開度が０％を超え１００％未満の状態）にセットされている場合は、空調空気は、それぞれの開度に応じて、通気部材２４，２５の側面開口部２４ａ，２５ａ及び隔壁２８，２９の開口部２８ａ，２９ａの両方へ流れ込む。この後、通気部材２４，２５の側面開口部２４ａ，２５ａを通過した空調空気は前述した流動過程を経て居室内へ吹き出され、隔壁２８，２９の開口部２８ａ，２９ａを通過した空調空気は吹出部材３８，３９に向かって流動し、その本体部３８ａ，３９ａ及び口縁部３８ｂ，３９ｂの内部を通過して居室内へ吹き出される。
【００４１】
これにより、図９に示すように、吹出口装置１００の隙間４２から吹き出す空調空気はその周辺の領域Ｗａに拡散し、吹出部材３８，３９から吹き出す空調空気はそれぞれ領域３８Ｗｐ，３９Ｗｐに進行し、アンビエント空調及びパーソナル空調が並行して行われる。この場合、予めセットされている吹出部材３８，３９の傾斜状態に応じて、口縁部３８ｂ，３９ｂの軸心の延長線方向に空調空気が吹き出される。
【００４２】
また、図４，図５に示す吹出口装置１００において、通気部材２４，２５の側面開口部２４ａ，２５ａが全閉状態（開度０％）で、隔壁２８，２９の開口部２８ａ，２９ａが全開状態（開度１００％）にセットされている場合は、通気部材２４，２５内へ流入した空調空気の全量が隔壁２８，２９の開口部２８ａ，２９ａへ流れ込み、これらの開口部２８ａ，２９ａを通過した空調空気は吹出部材３８，３９の内部を通過して、それぞれの傾斜状態に応じた方向に沿って居室内へ吹き出され、パーソナル空調１００％の状態となる。
【００４３】
前述したように、外コーン１５と、切替ユニット２０の内コーン２７との隙間４２を通過して吹き出される空調空気は居室内に向かって拡散するので、この隙間４２がアンビエント吹出部として機能し、吹出部材３８，３９の口縁部３８ｂ，３９ｂから吹き出される調和空気は、それぞれの吹出部材３８，３９の傾斜状態に応じた方向に沿って直線的に吹き出されるので、吹出部材３８，３９がパーソナル吹出部として機能する。
【００４４】
また、自在継手３４，３５中心に吹出部材３８，３９を傾動させてその傾斜状態を変更することによって吹出部材３８，３９（パーソナル吹出部）から吹き出す空調空気の風向を変更することができ、シャッタ３２，３３を軸体３０，３１周りに回転させて隔壁２８，２９の開口部２８ａ，２９ａの開度を変更することによって吹出部材３８，３９（パーソナル吹出部）から吹き出す調和空気の風量をそれぞれ変更することができる。即ち、隔壁２８，２９の開口部２８ａ，２９ａとシャッタ３２，３３、及び、自在継手３４，３５を中心に傾動可能な吹出部材３８，３９が気流調整手段として機能する。
【００４５】
さらに、図６に示すように、軸体３０，３１中心のシャッタ３２，３３の正転・逆転操作により、隔壁２８，２９の開口部２８ａ，２９ａを「開⇔閉」させ、パーソナル吹出部（吹出部材３８，３９）からの風量を「増⇔減」させると、これに伴って通気部材２４，２５の側面開口部２４ａ，２５ａが「閉⇔開」してアンビエント吹出部（隙間４２）からの風量が相対的に「減⇔増」する。即ち、通気部材２４，２５の側面開口部２４ａ，２５ａ、隔壁２８，２９の開口部２８ａ，２９ａ及びこれらを連動して開閉するシャッタ３２，３３が連係手段として機能する。
【００４６】
本実施形態の吹出口装置１００においては、シャッタ３２，３３を回転させ、通気部材２４，２５の側面開口部２４ａ，２５ａの開度を０〜１００％の範囲で変化させると、隔壁２８，２９の開口部２８ａ，２９ａが１００％〜０％の範囲で変化するので、必要に応じて、パーソナル空調を停止してアンビエント空調のみを実行したり、アンビエント空調を停止してパーソナル空調のみを実行したりすることができる。
【００４７】
なお、吹出口装置１００においては、隔壁２８，２９の開口部２８ａ，２９ａの開度を１００％にセットして、吹出部材３８，３９からの吹出風量を最大限に設定したときにアンビエント吹出部（隙間４２）からの吹き出しが維持される気流維持手段を設けることもできる。気流維持手段としては、例えば、チャンバ１１内に導入された空調空気を外コーン１５と内コーン２７との隙間４２に流入させるための通気経路（図示せず）を、切替ユニット２０の上面パネル２１外周とチャンバ１１内面との間に設けたり、前記通気経路を上面パネル２１に開設したりすることができる。また、前記通気経路は常時開状態を保つ方式あるいは必要に応じて開閉可能な方式とすることができる。
【００４８】
例えば、図１１，図１２に示す吹出口装置１０１においては、上面パネル２１ｘの複数箇所に、コ字状のカット部１０２を設け、カット部１０２で囲まれた羽根板部１０３が居室側に向かって下り勾配をなすように下方へ折り曲げることにより、チャンバ１１内に導入された空調空気を外コーン１５と内コーン２７との隙間４２に流入させるための通気経路１０４を形成している。なお、羽根板部１０３の勾配角度は使用条件に応じて設定することができる。
【００４９】
このような気流維持手段を設ければ、居室内に居る人間が、前記気流調整手段を操作して、パーソナル吹出部（吹出部材３８，３９）からの吹出風量を最大限に設定することがあっても、アンビエント吹出部（隙間４２）からの空調空気の吹き出しが停止しないので、居室全体の空調バランスが崩れるのを防止することができる。また、空調機器（図示せず）から供給された空調空気が全てパーソナル吹出部（吹出部材３８，３９）からの吹き出しに集中することによって発生し易くなる騒音の増大や圧力損失の上昇などを回避することができる。
【００５０】
前述したように、吹出口装置１００は１台でアンビエント空調機能及びパーソナル空調機能を兼備し、操作器具５０を用いて、パーソナル吹出部（吹出部材３８，３９）から吹き出す空調空気の風量を増減させると、アンビエント吹出部（隙間４２）からの風量が相対的に減増するので、当該吹出口装置１００から吹き出す空調空気の総風量が殆ど変化しない。このため、居室内の空調負荷に応じた風量を安定供給することができ、居室内を快適な空調状態に保つことができる。また、空調機器（図示せず）から吹出口装置１００に空調空気を供給するダクトは、アンビエント空調用及びパーソナル空調用の複数系統に分ける必要がないので、従来のアンビエント空調用吹出口と同様の施工方法で設置することができ、施工も容易であり、ダクト資材の増大を回避することができる。
【００５１】
また、パーソナル吹出部として、ノズル型の吹出部材３８，３９と、吹出部材３８，３９を傾動可能に保持する保持部材（自在継手３４，３５）と、吹出部材３８，３９の上流側に配置され吹出部材３８，３９の回動操作に伴って開閉する流路開閉部材（開口部２８ａ，２９ａを有する隔壁２８，２９とシャッタ３２，３３）と、を設けたことにより、吹出部材３８，３９を傾動させたり、回動させたりするという簡単な操作で、パーソナル吹出部３８，３９から吹き出す空調空気の風向及び風量を的確に調整、設定することができるため、操作性が良好である。なお、図４に示すように、自在継手３４，３５と、隔壁２８ａ，２９ａとの間には、それぞれバネ４３，４４が配置されているため、吹出部材３８，３９を回動操作する際に適度な操作抵抗力を保持することができる。
【００５２】
吹出口装置１００は複数のパーソナル吹出部（吹出部材３８，３９）を備えているため、図９に示すように、１台の吹出口装置１００から異なる複数方向Ｗ１，Ｗ２に向かって空調空気を吹き出すようにパーソナル吹出部（吹出部材３８，３９）の風向を設定することが可能である。また、複数のパーソナル吹出部（吹出部材３８，３９）からの風向が互いに同方向Ｗ３となるように設定することにより、パーソナル吹出部（吹出部材３８，３９）から居室に向かって吹き出す空調空気の到達距離を増大させることもできる。さらに、複数の吹出部材３８，３９を設けたことにより、特に夏場に外出先から居室に戻った場合など、パーソナル吹出部からの気流を強く感じたい場合に有効である。
【００５３】
吹出口装置１００は、外コーン１５と内コーン２７とを有するアネモ型吹出口であり、外コーン１５と内コーン２７との間の流路（隙間４２）をアンビエント吹出部とし、内コーン２７の中央領域にパーソナル吹出部（吹出部材３８，３９）を設けている。このため、アンビエント吹出部（隙間４２）から吹き出す空調空気が、居室内の天井付近の室内空気を誘引しながら居室内の多方向に広く拡散するようになるので、必要時にパーソナル空調を行っても、アンビエント空調の効果を維持することができる。また、アンビエント吹出口として既設のアネモ型吹出口のコーンを交換するだけで、前述したパーソナル空調機能を持たせることができるため、改修工事や設置後の交換にも好適となる。
【００５４】
次に、図１３〜図１８に基づいて、本発明の第２〜第４実施形態である吹出口装置２００，３００，４００について説明する。なお、図１３〜図１８に示す吹出口装置２００，３００，４００において図１〜図５に示す吹出口装置１００と共通する部分については同じ符号を付して説明を省略する。
【００５５】
図１３，図１４に示す吹出口装置２００においては、パーソナル吹出部として、切替ユニット２０ｘに無底腕形状の吹出部材３８ｘ，３９ｘを設けているため、内コーン２７の下面から突出する吹出部材３８ｘ，３９ｘの一部を小さくすることができ、外観性が良好である。また、吹出部材３８ｘ，３９ｘの開口部３８ｃ，３９ｃの内周面は短円筒形状をなしているため、図４に示す吹出部材３８，３９の口縁部３８ｂ，３９ｂに相当する部分が無くても、開口部３８ｃ，３９ｃから吹き出す空調空気に直線的方向性を持たせることができる。その他の部分の構造、機能は吹出口装置１００と同じである。
【００５６】
図１５，図１６に示す吹出口装置３００においては、パーソナル吹出部（吹出部材３８，３９）の口縁部３８ｂ，３９ｂにそれぞれ気流拡散部材６０が着脱可能に装着されている。気流拡散部材６０は、通気部材２４，２５の軸心２４ｃ，２５ｃ（図３，図４参照）を中心に同心円状に配置された複数の気流拡散板６０ａを備えている。その他の部分の構造、機能は吹出口装置１００と同じである。
【００５７】
図１５，図１６に示すように、気流拡散部材６０が装着されているとき、パーソナル吹出部（吹出部材３８，３９）から吹き出す空調空気は、吹出部材３８，３９で設定された方向に向かって領域Ｗ４に示すように拡散しながら流動するので、冷房時のドラフト発生を回避することができる。なお、気流拡散部材６０が装着されていないときは、パーソナル吹出部（吹出部材３８，３９）から吹き出す空調空気は吹出部材３８，３９で設定された方向に向かって領域Ｗ５に示すように直進的に流動する。
【００５８】
図１７，図１８に示す吹出口装置４００においては、切替ユニット２０ｙを構成する通気部材２４，２５内の軸心２４ｃ，２５ｃ方向の中央付近にそれぞれ軸心２４ｃ，２５ｃと直交する隔壁２８，２９が設けられ、軸心２４ｃ，２４ｃと同軸をなす軸体３０ｙ，３１ｙがそれぞれ隔壁２８，２９の中心に回転可能に軸支されている。通気部材２４，２５の下端部にはそれぞれ吹出部材３８ｙ，３９ｙが軸心２４ｃ，２５ｃを中心に回転可能に取り付けられ、軸体３０ｙ，３１ｙの下端部３０ａ，３１ａがそれぞれ吹出部材３８ｙ，３９ｙより下方に露出している。
【００５９】
吹出部材３８ｙ，３９ｙは略短円筒状の本体部３８ｄ，３９ｄと、本体部３８ｄ，３９ｄの内側にそれぞれ軸心２４ｃ，２５ｃと立体交差するように配置された複数の支軸７０と、支軸７０を中心に傾動可能に取り付けられた偏向板７１と、を備えている。軸体３０ｙ，３１ｙの下端部３０ａ，３１ａをそれぞれ軸心２４ｃ，２５ｃ周りに正転・逆転させると、軸体３０ｙ，３１ｙに固着されたシャッタ３２，３３が正転・逆転して、隔壁２８，２９の開口部２８ａ，２９ａの「開⇔閉」と、通気部材２４，２５の開口部２４ａ，２５ａが「閉⇔開」とが連動して行われる。
【００６０】
また、軸心２４ｃ，２５ｃを中心とする吹出部材３８ｙ，３９ｙの回転操作と、支軸７０を中心とする偏向板７１の傾動操作と、をそれぞれ独立して行うことにより、吹出部材３８ｙ，３９ｙからの空調空気の吹出方向をそれぞれ独立して設定することができる。その他の部分の構造、機能は吹出口装置１００と同じである。
【産業上の利用可能性】
【００６１】
本発明の吹出口装置は、オフィスビルなどの建築物内の空調システムの構成機材として、広く利用することができる。
【符号の説明】
【００６２】
１０  流入経路
１１  チャンバ
１２  流入口
１４  下面開口部
１５  外コーン
２０，２０ｘ，２０ｙ  切替ユニット
２１  上面パネル
２２，２３  通気口
２４，２５  通気部材
２４ａ，２５ａ，２８ａ，２９ａ，３８ｃ，３９ｃ  開口部
２４ｃ，２５ｃ  軸心
２６  下面パネル
２７  内コーン
２８，２９  隔壁
３０，３１，３０ｙ，３１ｙ  軸体
３０ａ，３１ａ  下端部
３２，３３  シャッタ
３４，３５  自在継手
３６，３７，７０  支軸
３８，３９，３８ｘ，３９ｘ  吹出部材
３８ａ，３９ａ  本体部
３８ｂ，３９ｂ  口縁部
４０，４１  シール材
４２  隙間
４３，４４  バネ
５０  操作器具
５１  基材
５２  グリップ
５３  係合部材
５３ａ  基体部
５３ｂ  凹部
５３ｃ  係合溝
６０  気流拡散部材
６０ａ  気流拡散板
７１  偏向板
１００，１０１，２００，３００，４００  吹出口装置
１０２  カット部
１０３  羽根板部
１０４  通気経路
【図１】
0005738706.tif 000002
【図２】
0005738706.tif 000003
【図３】
0005738706.tif 000004
【図４】
0005738706.tif 000005
【図５】
0005738706.tif 000006
【図６】
0005738706.tif 000007
【図７】
0005738706.tif 000008
【図８】
0005738706.tif 000009
【図９】
0005738706.tif 000010
【図１０】
0005738706.tif 000011
【図１１】
0005738706.tif 000012
【図１２】
0005738706.tif 000013
【図１３】
0005738706.tif 000014
【図１４】
0005738706.tif 000015
【図１５】
0005738706.tif 000016
【図１６】
0005738706.tif 000017
【図１７】
0005738706.tif 000018
【図１８】
0005738706.tif 000019